(57)【要約】      （修正有）【課題】キッカ上に残された下敷きを自動的に取り除く給紙機の下敷き取出し装置を提供する。【解決手段】軸４を中心に揺動される傾動台２で、シート繰り出し装置と積み重ねシートＳを支持しシート繰り出し装置の搬出端に移動させる櫛歯状のキッカ２０を支持する。傾動台２の一側方に上下動可能な昇降台５２を設け、下敷き受け取り部材７０をキッカ２０の昇降路に向け揺動自在に支持する。下敷き受け取り部材７０の揺動側端部にキッカ２０が通過可能な間隙部を設ける。キッカ２０で支持された積み重ねシートＳの全シートｓが送り出され、傾動台２はシート受け入れ状態に向け揺動され、キッカ２０が下降し始める前に下敷き受け取り部材７０を下敷き受け取り位置まで揺動させ、キッカ２０と下敷き受け取り部材７０の間で下敷きＡの受け渡しを行い、下敷き受け取り部材７０を下敷き排出位置まで揺動させ、昇降台５２を下降させ、下敷きＡを排出させる。【選択図】図１
2008137770.tif 000002
【特許請求の範囲】
【請求項１】
略垂直のシート受け入れ状態の位置と上端が下流側に倒れる傾斜状のシート繰り出し位置との間で揺動される傾動台と、
その傾動台のシート受け入れ状態の位置でシート搬送面が略垂直の状態となるよう傾動台に支持されたシート繰り出し装置と、
前記傾動台のシート受け入れ状態の位置で略水平とされて下敷きで支持された積み重ねシートを受け取り、傾動台のシート繰り出し位置でその積み重ねシートをシート繰り出し装置とで支持すると共に、シート繰り出し装置とで積み重ねシートをそのシート繰り出し装置の搬出端部に向けて繰り出すキッカと、
を備え、前記積み重ねシートの繰り出し後に傾動台をシート受け入れ状態の位置に向けて揺動させ、かつ、下敷きが残されたキッカを下降させるようにした給紙機における下敷きの取出し装置であって、
前記傾動台の一側方に上下動可能な昇降台を設け、その昇降台によって下敷き受け取り部材を前記キッカの昇降路に向けて揺動自在に支持し、その下敷き受け取り部材の揺動側端部に前記キッカが通過可能な間隙部を設け、その下敷き受け取り部材の揺動側端部がキッカの昇降路に臨む下敷き受け取り位置と傾動台の一側方において略垂直の下敷き排出位置との間で下敷き受け取り部材を揺動させる揺動駆動装置を前記昇降台で支持し、前記キッカが下降し始める前段において下敷き受け取り部材を下敷き受け取り位置まで揺動させて、下降動するキッカとの間で下敷きの受け渡しを行い、その下敷きの受け取り後に下敷き受け取り部材を下敷き排出位置まで揺動させると共に、昇降台を下降させて、下敷きを排出させるようにしたことを特徴とする給紙機における下敷きの取出し装置。
【発明の詳細な説明】
【技術分野】
【０００１】
この発明は、段ボールシート等の厚みのある板紙を印刷機等のシート加工機に連続して供給する給紙機における下敷きの取出し装置に関するものである。
【背景技術】
【０００２】
一般に、コルゲータによって製造された段ボールシートは、表ライナを下にして多数積み重ねられる。その積み重ね段ボールシート(以下、積み重ねシートという)は、次に給紙機にセットされ、その給紙機によって印刷機等のシート加工機のホッパに連続的に供給される。
【０００３】
上記給紙機として、水平の軸心を中心として揺動可能な傾動台によってシート繰り出し装置と、そのシート繰り出し装置によるシート搬送方向に移動可能なキッカとを支持し、上記傾動台を略垂直とし、シート繰り出し装置の下端の搬入部にキッカを位置させた状態で、そのキッカ上に積み重ねシートを送り込み、その積み重ねシートを傾動台の揺動によりシート繰り出し装置とキッカで支持される横倒しの状態とした後、上記シート繰り出し装置の駆動およびキッカの移動により積み重ねシートをシート繰り出し装置の下流側に配置されたシート送り込みコンベヤ装置の搬入端部上に連続して送り出すようにしたものが従来から知られている。
【０００４】
上記給紙機には、特許文献１に記載されているように、傾動台の傾動によって横倒しした積み重ねシートをシートが互いに重なり合うラップ状態で連続して送り出すようにしたものと、特許文献２に記載されているように、横倒しした積み重ねシートを、先頭のシートから数枚のシートにブロック分けした状態で順次送り出すようにしたものとが存在する。
【０００５】
上記いずれの給紙機においても、キッカ上に送り込まれる積み重ねシートはベニヤ板等の下敷きによって支持され、その下敷きと共にキッカ上に送り込まれるため、積み重ねシートの全てがシート繰り出し装置の搬出端から送り出された状態では、キッカ上に下敷きが残されることになる。
【０００６】
このため、積み重ねシートの繰り出し後は、キッカ上に残る下敷きを取り除いた後、次の積み重ねシートをキッカ上に送り込む必要がある。
【０００７】
【特許文献１】特開昭６３−２２４３７号公報
【特許文献２】特公昭５８−５６６９４号公報
【発明の開示】
【発明が解決しようとする課題】
【０００８】
ところで、キッカ上に残された下敷きの取り除きに際して、従来では、人手によって取り除くようにしているため、非常に手間がかかっていた。また、下敷きの取り除きに際して、傾斜状態の傾動台を略垂直となる元の状態まで揺動させ、かつキッカを下降させる必要があるため、危険であり、安全性を図る上において改善すべき点が残されていた。
【０００９】
この発明の課題は、キッカ上に残された下敷きを自動的に取り除くことができるようにした給紙機における下敷きの取出し装置を提供することである。
【課題を解決するための手段】
【００１０】
上記の課題を解決するために、この発明においては、略垂直のシート受け入れ状態の位置と上端が下流側に倒れる傾斜状のシート繰り出し位置との間で揺動される傾動台と、その傾動台のシート受け入れ状態の位置でシート搬送面が略垂直の状態となるよう傾動台に支持されたシート繰り出し装置と、前記傾動台のシート受け入れ状態の位置で略水平とされて下敷きで支持された積み重ねシートを受け取り、傾動台のシート繰り出し位置でその積み重ねシートをシート繰り出し装置とで支持すると共に、シート繰り出し装置とで積み重ねシートをそのシート繰り出し装置の搬出端部に向けて繰り出すキッカとを備え、前記積み重ねシートの繰り出し後に傾動台をシート受け入れ状態の位置に向けて揺動させ、かつ、下敷きが残されたキッカを下降させるようにした給紙機における下敷きの取出し装置であって、前記傾動台の一側方に上下動可能な昇降台を設け、その昇降台によって下敷き受け取り部材を前記キッカの昇降路に向けて揺動自在に支持し、その下敷き受け取り部材の揺動側端部に前記キッカが通過可能な間隙部を設け、その下敷き受け取り部材の揺動側端部がキッカの昇降路に臨む下敷き受け取り位置と傾動台の一側方において略垂直の下敷き排出位置との間で下敷き受け取り部材を揺動させる揺動駆動装置を前記昇降台で支持し、前記キッカが下降し始める前段において下敷き受け取り部材を下敷き受け取り位置まで揺動させて、下降動するキッカとの間で下敷きの受け渡しを行い、その下敷きの受け取り後に下敷き受け取り部材を下敷き排出位置まで揺動させると共に、昇降台を下降させて、下敷きを排出させるようにした構成を採用したのである。
【００１１】
上記の構成からなる給紙機における下敷きの取出し装置において、積み重ねシートの繰り出し後、下敷きが残されたキッカが下降される前段に下敷き受け取り部材を下敷き受け取り位置まで揺動させ、間隙部がキッカの昇降路に臨む状態でキッカを下降させると、上記キッカが間隙部を通過する際に、そのキッカと下敷き受け取り部材の相互間で下敷きの受け渡しが行われて、下敷き受け取り部材で下敷きが支持されることになる。
【００１２】
下敷きの受け渡し後、昇降台を下降させると共に、下敷き受け取り部材を下敷き排出位置まで揺動させることによって、下敷き受け取り部材から下敷きが排出されることになり、キッカ上に残された下敷きを自動的に取り除くことができる。
【発明の効果】
【００１３】
この発明においては、上記のように、昇降台によって揺動自在に支持された下敷き受け取り部材をキッカの昇降路に向けて揺動させ、その下敷き受け取り部材の先端部に形成された間隙部がキッカの昇降路に臨む状態で下敷きを支持するキッカを下降させることによって、下敷き受け取り部材とキッカの相互間で下敷きの受け渡しを行うことができる。また、下敷きの受け渡し後、昇降台を下降させ、かつ、下敷き受け取り部材を下敷き排出位置まで揺動させることによって、下敷き受け取り部材から下敷きが排出されるため、キッカ上に残された下敷きを自動的に取り除くことができ、安全性の向上を図ることができる。
【発明を実施するための最良の形態】
【００１４】
以下、この発明の実施形態を図面に基づいて説明する。図１および図２に示すように、多数のシートｓを積み重ねた積み重ねシートＳは下敷きＡに支持され、ローラコンベヤ１によって下流側に搬送される。
【００１５】
ローラコンベヤ１の下流側には、傾動台２が設けられている。図５に示すように、傾動台２は、機台３のサイドフレーム３ａ間に渡された水平の軸４を中心に揺動自在に支持され、図２に示す揺動駆動装置としての揺動用シリンダ５の作動によって、図３に示す略垂直のシート受け入れ状態の位置と、図２に示すように、上端が下流側に倒れたシート繰り出し位置との間で揺動される。
【００１６】
図５に示すように、傾動台２は対向する一対の側枠２ａを有し、その一対の側枠２ａ間にシート繰り出し装置１０が設けられている。シート繰り出し装置１０は複列のベルトコンベヤ１０ａからなる。この複列のベルトコンベヤ１０ａは、傾動台２のシート受け入れ状態の際にはシート搬送面が略垂直の状態となるよう傾動台２に支持され、図示省略したモータの駆動によって図１の矢印で示す方向に移動される。ここで、複列のベルトコンベヤ１０ａのキャリア側ベルトは、図５に示すベルト案内板１１に支持されて移動するようになっている。
【００１７】
図５に示すように、傾動台２の一対の側枠２ａの対向内面には、傾動台２のシート受け入れ状態の位置で上下方向に長く延びる案内溝６が形成され、その案内溝６内に設けられたレール部材７に沿ってキッカ２０が移動自在に支持されている。
【００１８】
キッカ２０は、傾動台２の一対の側枠２ａ間に渡る長さのバー部材２１に複数の帯状の板体２２を櫛歯状に設けた構成とされ、上記バー部材２１の両端部が上記レール部材７によってスライド自在に支持されている。
【００１９】
図３に示すように、キッカ２０の複数の板体２２は傾動台２のシート受け入れ状態の位置で略水平の状態とされ、シート繰り出し装置１０の搬入端に配置される状態でローラコンベヤ１から送り込まれる積み重ねシートＳを受け取るようになっている。そして、その積み重ねシートＳの受け取り後において、傾動台２が傾動されてシート繰り出し位置に保持されると、積み重ねシートＳをシート繰り出し装置１０とで支持するようになっている。
【００２０】
また、キッカ２０は、図示省略した駆動装置の作動によってシート繰り出し装置１０におけるベルトコンベヤ１０ａのキャリア側ベルトの移動と共に移動して、キャリア側ベルトと同方向に同じ量だけ移動するようになっている。
【００２１】
図２に示すように、傾動台２のシート繰り出し状態の位置において、シート繰り出し装置１０の排出端部には、そのシート繰り出し装置１０で支持された積み重ねシートＳの先頭のシートｓから数枚のシートｓをブロック分けして下流側に送り出す送り出し装置３０が設けられている。
【００２２】
送り出し装置３０は、ベルトコンベヤからなる。この送り出し装置３０は、その搬出端部がシート繰り出し装置１０のヘッドプーリ１０ｂのプーリ軸を中心にして揺動自在に支持され、シリンダ３１の作動によって搬入端部がシート繰り出し装置１０の搬送面から没入する下降位置と、上記搬送面上に突出する送り出し位置との間で揺動される。
【００２３】
図１に示すように、シート繰り出し装置１０の搬出端の前側方（下流側）には、フィードコンベヤ４０が設けられている。フィードコンベヤ４０上には、送り出し装置３０から送り込まれるシートブロックＢの下流側である前面を案内する前面案内板４１と、その前面案内板４１との間にシートブロックＢが収容可能なホッパ部４２を形成する上流側の後面案内板４３とが設けられている。
【００２４】
前面案内板４１の下端とフィードコンベヤ４０の搬送面間には、数枚のシートｓが通過可能なゲート４４が形成されている。上記ホッパ部４２内に送り込まれたシートブロックＢはフィードコンベヤ４０の駆動によって下部のシートｓから順に下流側へ送り出され、上記ゲート４４を通過する際に屋根瓦状に重なるラップ状態とされる。
【００２５】
図４乃至図６に示すように、傾動台２の一側方において、この一側方側のサイドフレーム３ａの外側位置にはレール支持板５０が設けられ、そのレール支持板５０の外側面に上下方向に長く延びるガイドレール５１が取付けられ、そのガイドレール５１に沿って昇降台５２が昇降自在に支持されている。
【００２６】
昇降台５２は昇降駆動装置６０によって昇降動される。昇降駆動装置６０は、レール支持板５０の外側面に取付けられた上下方向に長く延びるラック６１と、そのラック６１に噛合するピニオン６２と、上記昇降台５２に支持されたモータ６３とからなり、上記モータ６３の駆動によりその軸に設けたピニオン６２を回転し、そのピニオン６２とラック６１の噛み合いによって昇降台５２をガイドレール５１に沿って昇降動させるようにしている。
【００２７】
昇降台５２には複数の軸受５３が設けられ、その軸受５３によって下敷き受け取り部材７０の一側に設けられた回転軸７１が支持されて、その回転軸７１を中心に下敷き受け取り部材７０が上下方向に揺動自在とされている。下敷き受け取り部材７０は、傾動台２のシート受け入れ状態の位置でキッカ２０が昇降動される際のキッカ２０の昇降路に対して上下方向に揺動自在とされ、その揺動側の端部には複数のモータ７２と、各モータ７２によってそれぞれ単独に回転されるように各モータ７２に対応して設けたローラ７３とを備えている。
【００２８】
ここで、図５に示すように、ローラ７３はシートｓの搬送方向に長く延び、そのローラ７３間にキッカ２０の最側の板体２２が通過可能な間隙部７４が形成されている。
【００２９】
また、下敷き受け取り部材７０には、並列に配置されたローラ７３の一側端部から回転軸７１側にわたって支持板７５が取付けられ、その支持板７５の回転軸７１側の端部に傾斜状の受け板７６が設けられている。
【００３０】
上記下敷き受け取り部材７０の回転軸７１は昇降台５２に支持された揺動駆動装置としてのモータ７７により回動され、その回転軸７１の回転によって、下敷き受け取り部材７０は、図６に示すように、揺動側の端部がキッカ２０の昇降路に臨み非揺動側が下方に位置する傾斜状の下敷き受け取り位置と、揺動側の端部を上位とする略垂直の下敷き排出位置との間で揺動されるようになっている。図９は、昇降台５２の下降位置において受け取り部材７０が下敷き排出位置に配置されている状態を示す。
【００３１】
実施の形態で示す給紙機における下敷きの取出し装置は上記の構造からなり、シート加工機に対する給紙に際しては、先ず、傾動台２をシート受け入れ状態の位置とし、キッカ２０をシート繰り出し装置１０の下端部において水平の状態とした後、そのキッカ２０の上面に下敷きＡに支持された積み重ねシートＳを供給する。
【００３２】
積み重ねシートＳの供給後、揺動用シリンダ５を作動して傾動台２を傾動し、上端が下流側に傾斜するシート繰り出し位置に配置する。その傾動台２の位置変更によって、積み重ねシートＳは上端が下流側に倒れる状態となり、その積み重ねシートＳはキッカ２０の板体２２とシート繰り出し装置１０の複列のベルトコンベヤ１０ａによって支持される。
【００３３】
上記のように、傾動台２をシート繰り出し状態にした後、シート繰り出し装置１０およびキッカ２０を駆動し、積み重ねシートＳの先頭から数枚のシートｓが送り出し装置３０の先端部上に配置される位置まで積み重ねシートＳを斜め上方に移動させ、その移動後、シート繰り出し装置１０およびキッカ２０を停止させる。
【００３４】
積み重ねシートＳの移動停止後において、シート繰り出し装置１０の搬送面の下へ位置していた送り出し装置３０をシリンダ３１の作動により上方に移動させると、図２に示すように、先頭から数枚のシートｓが送り出し装置３０で持ち上げられてブロック分けされると共に、その送り出し装置３０で支持され、上記送り出し装置３０の駆動により、そのブロック分けされたシートブロックＢがフィードコンベヤ４０上のホッパ部４２に送り込まれる。
【００３５】
また、ホッパ部４２に収容されたシートブロックＢは、フィードコンベヤ４０の駆動によって下流側に送り出され、前面案内板４１の下方に形成されたゲート４４を通過する際、屋根瓦状のラップ状態とされる。
【００３６】
シートブロックＢの送り出し後、送り出し装置３０はシリンダ３１の作動によりシート繰り出し装置１０の搬送面から没入する下降位置に戻される。
【００３７】
以後、シート繰り出し装置１０とキッカ２０の駆動によって積み重ねシートＳの先頭から数枚のシートｓが送り出し装置３０の先端部上に配置される位置まで積み重ねシートＳを斜め上方に移動させる動作と、その積み重ねシートＳの移動後にシリンダ３１の作動により送り出し装置３０をシート繰り出し装置１０の搬送面上に臨む位置まで揺動させて数枚のシートｓを掬い取ってブロック分けする動作と、そのブロック分けされたシートブロックＢを送り出し装置３０の駆動によりホッパ部４２に供給した後、送り出し装置３０をシート繰り出し装置１０の搬送面より没入する下降位置まで揺動させる動作とを繰り返し行うことによって、傾動台２上の積み重ねシートＳの全てを送り出すことができる。
【００３８】
積み重ねシートＳの送り出しによって、キッカ２０上に下敷きＡが残される。その下敷きＡの取出しに際しては、傾動台２が傾斜したシート繰り出し状態の位置とされ、図４に示すように、昇降台５２が上限位置に停止、保持される状態において、モータ７７の駆動により下敷き受け取り部材７０のキッカ２０側をキッカ２０の昇降路に向けて上方へ揺動させ、その揺動側端部がキッカ２０の昇降路に臨む状態において、揺動用シリンダ５の作動により、傾動台２をシート受け入れ状態の位置まで揺動させ、その揺動後においてキッカ２０を下降させるようにする。
【００３９】
図５および図６は、傾動台２をシート受け入れ状態の位置まで揺動させた状態を示し、その状態において下敷き受け取り部材７０の間隙部７４がキッカ２０の昇降路に臨む状態とされる。その状態においてキッカ２０を下降させると、図７に示すように、キッカ２０の板体２２が下敷き受け取り部材７０の間隙部７４を通過する際に、キッカ２０上の下敷きＡは下敷き受け取り部材７０の揺動側端部に設けられたローラ７３で支持されることになる。
【００４０】
図７に示す状態からキッカ２０がさらに下降すると、図８に示すように、下敷きＡは複数のローラ７３で支持され、キッカ２０と下敷き受け取り部材７０の相互間で下敷きＡの受け渡しが行われ、キッカ２０上から下敷きＡが取出される。
【００４１】
このとき、ローラ７３は図７の矢印で示す方向に回転する状態にあり、複数のローラ７３で支持された下敷きＡはローラ７３との接触によって下敷き受け取り部材７０の揺動中心側の端部（キッカ２０側とは反対側の端部）に向けて送られる。
【００４２】
図６に示すように、下敷きＡが支持板７５で支持され、受け板７６によって一側縁が支持されると、図５に示すモータ６３の駆動によりピニオン６２が回転され、そのピニオン６２とラック６１の噛み合いにより昇降台５２が下降し、同時にモータ７７の駆動により下敷き受け取り部材７０が傾動台２の一側方において、図９に示すように、略垂直の下敷き排出位置に向けて揺動される。
【００４３】
なお、実施の形態では、モータ７７の駆動により回転軸７１を回転して下敷き受け取り部材７０を上下方向に揺動させるようにしたが、モータ６３の駆動による昇降台５２の昇降動に連動して回転軸７１を回転し、下敷き受け取り部材７０を上下方向に揺動させるようにしてもよい。
【００４４】
図９は昇降台５２を下限位置まで下降させ、下敷き受け取り部材７０を下敷き排出位置まで揺動させた状態を示し、下敷きＡは受け板７６の側端の傾斜に沿って下方に落下排出され、下敷き受け取り部材７０から下敷きＡを自動的に取出すことができる。このとき、下敷きＡの排出位置にローラコンベヤ等の下敷き排出コンベヤ８０を設けておくことによって、落下排出される下敷きＡをその下敷き排出コンベヤ８０で支持することができると共に、下敷き排出コンベヤ８０によって下敷きＡを容易に排出することができる。
【００４５】
上記のように、昇降台５２によって揺動自在に支持された下敷き受け取り部材７０のキッカ２０側の先端部をキッカ２０の昇降路に向けて上方へ揺動させ、その下敷き受け取り部材７０の先端部に形成された間隙部７４がキッカ２０の昇降路に臨む状態で下敷きＡを支持するキッカ２０を下降させることによって、下敷き受け取り部材７０とキッカ２０の相互間で下敷きＡの受け渡しを行うことができると共に、下敷きＡの受け渡し後、昇降台５２を下降させ、かつ、下敷き受け取り部材７０を下敷き排出位置まで垂直状に揺動させることによって、下敷きＡが下敷き受け取り部材７０から排出されるため、キッカ２０上に残された下敷きＡを自動的に取り除くことができ、安全性の向上を図ることができる。
【００４６】
実施の形態では、下敷き受け取り部材７０の揺動側端部に複数のローラ７３を設け、そのローラ７３間に間隙部７４を設けたが、ローラ７３を省略し、下敷き受け取り部材７０そのものに間隙部を設けるようにしてもよい。
【００４７】
また、実施の形態では、送り出し装置３０をシート繰り出し装置１０の搬送面上に揺動させて積み重ねシートＳを数枚のシートｓにブロック分けして下流側に送り出すようにした給紙機を示したが、給紙機はこれに限定されるものではない。例えば、特許文献１に記載されるように、屋根瓦状に重なるラップ状態でシートを送り出すようにした給紙機であってもよい。
【００４８】
また、ブロック分けする状態でシートを送り出す場合においても、ブロック分けする手段は揺動可能な送り出し装置３０に限定されるものではない。例えば、特開２０００−１１８７５５号公報に記載されているように、押し板の往復動によって積み重ねシートを数枚のシートにブロック分けして下流側に押し出すようにしてもよい。
【００４９】
図１０乃至図１４は、この発明に係る下敷きの取出し装置の他の実施の形態を示す。この実施の形態においては、図１０および図１１に示すように、傾動台２の他側方において、この他側方側のサイドフレーム３ａの外側方にアーム支持板９０を設け、そのアーム支持板９０の外側面に固定された左右一対の軸受９１によりアーム支持軸９２を回転自在に支持し、そのアーム支持軸９２に補助アーム９３の一端部を固定し、補助アーム９３の他端部に固定したローラ支持枠９４でローラ９５を回転自在に支持している。
【００５０】
また、アーム支持軸９２にレバー９６の一端部を固定し、そのレバー９６の他端部にシリンダ９７を連結し、そのシリンダ９７の作動によって、補助アーム９３がアーム支持軸９２上に垂直状に延びる待機位置と他端部のローラ９５がキッカ２０の昇降路の他側部（下敷き受け取り部材７０と対向する側）に臨む作動位置との間で、補助アーム９３を下敷き受け取り部材７０に対向させるように揺動させる。
【００５１】
ここで、補助アーム９３および下敷き受け取り部材７０の双方をキッカ２０の昇降路に臨む位置まで互いに対向するように揺動させた時、補助アーム９３の他端部のローラ９５は、下敷き受け取り部材７０の揺動側端部に設けられたローラ７３より上位に位置するようにされている。
【００５２】
他の構成は先に述べた図１乃至図９に示す下敷きの取出し装置と同一であるため、同一の部品には同一の符号を付して説明を省略する。
【００５３】
上記の構成からなる下敷きの取出し装置において、キッカ２０上に残される下敷きＡの取り出しに際しては、下敷き受け取り部材７０および補助アーム９３の双方をキッカ２０の昇降路に向けて互いに対向するように揺動させ、図１１に示すように、下敷き受け取り部材７０の揺動側端部のローラ７３および補助アーム９３の他端部のローラ９５がキッカ２０の昇降路に臨む状態において、傾動台２をシート受け入れ状態の位置まで揺動させて垂直状にし、その揺動後においてキッカ２０を下降させるようにする。
【００５４】
図１０および図１１は、傾動台２をシート受け入れ状態の位置まで揺動させた状態を示し、その状態でキッカ２０を下降させると、補助アーム９３の他端部のローラ９５は下敷き受け取り部材７０の揺動側端部に設けられたローラ７３より上位に位置されているため、キッカ２０の下降途中において、下敷きＡの一側部は図１１および図１２に示すように、ローラ９５で受け止められる。
【００５５】
その状態からキッカ２０が下降すると、図１３に示すように、下敷きＡがローラ９５とキッカ２０の一側部（下敷き受け取り部材７０側の端部）で支持されて、下敷きＡは下敷き受け取り部材７０に向けた下り勾配に傾斜する傾斜状とされる。
【００５６】
図１３に示す状態からキッカ２０がさらに下降し、そのキッカ２０の板体２２が下敷き受け取り部材７０の間隙部７４を通過すると、図１４に示すように、キッカ２０と下敷き受け取り部材７０の相互間で下敷きＡの受け渡しが行われる。このとき、ローラ７３は同図の矢印で示す方向に回転駆動されているため、そのローラ７３との接触によって下敷きＡは下敷き受け取り部材７０の揺動中心側である給紙機の外側に向けて送られる。
【００５７】
図１１の２点鎖線イで示すように、下敷きＡが受け板７６によって支持されると、下敷き受け取り部材７０は傾動台２の一側方おいて略垂直の状態となる下敷き排出位置に向けて揺動され、下敷き受け取り部材７０から下敷きＡが排出される。
【００５８】
上記のように、傾動台２の他側方に補助アーム９３を上下方向に揺動自在に設け、その補助アーム９３をキッカ２０の昇降路に向けて下方へ揺動し、その補助アーム９３の他端部がキッカ２０の昇降路に臨む状態でキッカ２０を下降させることによって、キッカ２０と下敷き受け取り部材７０の相互間で下敷きＡの受け渡しが行われる前段に下敷きＡを下敷き受け取り部材７０に向けて下り勾配をもって傾斜させることができるため、キッカ２０上の下敷きＡを下敷き受け取り部材７０上に確実に排出することができる。
【図面の簡単な説明】
【００５９】
【図１】この発明に係る給紙機における下敷きの取出し装置の実施の形態を示す正面図
【図２】積み重ねシートの送り出し状態を示す概略図
【図３】積み重ねシートの送り出し後において傾動台をシート受け入れ位置に揺動させた状態の概略図
【図４】図１に示す下敷き取出し装置部を拡大して示す正面図
【図５】図４の平面図
【図６】図５のVI−VI線に沿った断面図
【図７】キッカと下敷き受け取り部材の相互間における下敷きの受け渡し状態を示す断面図
【図８】キッカと下敷き受け取り部材の相互間における下敷きの受け渡し完了状態を示す断面図
【図９】下敷きの排出状態を示す側面図
【図１０】この発明に係る給紙機における下敷きの取出し装置の他の実施の形態を示す平面図
【図１１】図１０の右側面図
【図１２】キッカ上に残る下敷きの下降途中の状態を示す外略図
【図１３】キッカと下敷き受け取り部材の相互間における下敷きの受け渡しの直前を示す概略図
【図１４】下敷きの受け渡し状態を示す概略図
【符号の説明】
【００６０】
Ａ    下敷き
Ｓ    積み重ねシート
２    傾動台
１０  シート繰り出し装置
２０  キッカ
５２  昇降台
７０  下敷き受け取り部材
７４  間隙部
７７  モータ（揺動駆動装置）
【図１】
2008137770.tif 000003
【図２】
2008137770.tif 000004
【図３】
2008137770.tif 000005
【図４】
2008137770.tif 000006
【図５】
2008137770.tif 000007
【図６】
2008137770.tif 000008
【図７】
2008137770.tif 000009
【図８】
2008137770.tif 000010
【図９】
2008137770.tif 000011
【図１０】
2008137770.tif 000012
【図１１】
2008137770.tif 000013
【図１２】
2008137770.tif 000014
【図１３】
2008137770.tif 000015
【図１４】
2008137770.tif 000016